(57)【特許請求の範囲】
【請求項１】
電力管理装置であって、
接続先のメータ装置に認証されるために付与された認証情報を記憶する記憶部と、
前記記憶された認証情報を失ったとき、前記認証情報を前記電力管理装置に出力するように前記メータ装置に要求し、前記メータ装置に再接続するための再接続条件に合致していれば前記メータ装置から失った前記認証情報と同一の又は異なる認証情報を取得可能であり、当該取得した認証情報を用いて前記メータ装置に再接続する制御部と、
を有する電力管理装置。
【請求項２】
請求項１に記載の電力管理装置において、
前記認証情報はＩＤ及びパスワードの少なくとも一方である、電力管理装置。
【請求項３】
請求項１又は２に記載の電力管理装置において、
前記制御部は、再接続処理をバックグラウンドで行う、電力管理装置。
【請求項４】
請求項１から３のいずれか１項に記載の電力管理装置において、
前記再接続条件とは、前記メータ装置に過去に一度以上接続していることである、電力管理装置。
【請求項５】
請求項１から４のいずれか１項に記載の電力管理装置において、
前記制御部は前記メータ装置から、前記失った認証情報と異なる認証情報として、前記失った認証情報よりも簡易な情報を取得する、電力管理装置。
【請求項６】
請求項１から５のいずれか１項に記載の電力管理装置において、
前記制御部は更に、前記メータ装置に個別に付与されたメータ装置認証情報を前記メータ装置に通知し、前記メータ装置から前記メータ装置認証情報を取得したとき、前記メータ装置認証情報を用いて前記メータ装置を認証して前記失った認証情報と同一の又は異なる認証情報を取得可能である、電力管理装置。
【請求項７】
請求項６に記載の電力管理装置において、
前記制御部は、前記認証情報を失う前の、前記メータ装置と接続されていた日時から所定時間が経過したときに前記メータ装置から送信される前記メータ装置認証情報を取得して前記メータ装置を認証する、電力管理装置。
【請求項８】
メータ装置に接続する電力管理装置における電力管理方法において、
接続先のメータ装置に認証されるために付与された認証情報を記憶するステップと、
前記記憶された認証情報を失ったとき、前記認証情報を前記電力管理装置に出力するように前記メータ装置に要求するステップと、
前記メータ装置に再接続するための再接続条件に合致していれば前記メータ装置から前記認証情報と同一の又は異なる認証情報を取得可能であり、当該取得した認証情報を用いて前記メータ装置に再接続するステップと、
を有する電力管理方法。
【請求項９】
電力管理装置と、前記電力管理装置と接続するメータ装置と、
を含む電力管理システムにおいて、
前記電力管理装置は、
接続先の前記メータ装置に認証されるために付与された認証情報を記憶する記憶部と、
前記記憶された認証情報を失ったとき、前記認証情報を前記電力管理装置に出力するように前記メータ装置に要求し、前記メータ装置に再接続するための再接続条件に合致していれば前記メータ装置から前記認証情報と同一の又は異なる認証情報を取得可能であり、当該取得した認証情報を用いて前記メータ装置に再接続する制御部と、
を有する、電力管理システム。
【請求項１０】
認証情報を電力管理装置に出力する旨の要求を、前記電力管理装置から取得した場合、
メータ装置に再接続するための再接続条件に前記電力管理装置が合致しているとき、前記電力管理装置に、前記電力管理装置を認証するために以前に用いた認証情報と同一の又は異なる認証情報を出力する制御部を有するメータ装置。
【請求項１１】
電力管理装置に接続するメータ装置における認証方法において、
認証情報を前記電力管理装置に出力する旨の要求を、前記電力管理装置から取得するステップと、
前記メータ装置に再接続するための再接続条件に前記電力管理装置が合致しているとき、前記電力管理装置に、前記電力管理装置を認証するために以前に用いた認証情報と同一の又は異なる認証情報を出力するステップを有する認証方法。
【発明の詳細な説明】
【技術分野】
【０００１】
本発明は、電力管理装置、電力管理方法、電力管理システム、メータ装置及び認証方法に関する。
【背景技術】
【０００２】
従来、電力計であるメータ装置から指示を取得して、家に設置された蓄電池の充放電を制御する電力管理装置が知られている（例えば特許文献１）。メータ装置と電力管理装置との間のＢルート通信においては、１対１通信が確保されており、ユーザがＢルート通信を開始するときには電力会社から付与された認証ＩＤ及びパスワードを電力管理装置に入力し、メータ装置の認証を受ける必要がある。
【先行技術文献】
【特許文献】
【０００３】
【特許文献１】特開２０１２−１４３０３３号公報
【発明の概要】
【発明が解決しようとする課題】
【０００４】
ユーザが電力管理装置を長期間使用していると、認証ＩＤ及びパスワードを忘れることがある。この状況でユーザが当該認証ＩＤ及びパスワードが記載された用紙・データ等を紛失していると認証を受けられず、認証情報を再設定する必要が生じる。また、誤って認証ＩＤ及びパスワードを変更、削除又は初期化したときにも同様である。
【０００５】
かかる事情に鑑みてなされた本発明の目的は、装置間の通信の安全を確保しながら、ユーザによる認証情報の再設定の煩わしさを解消することができる電力管理装置、電力管理方法、電力管理システム、メータ装置及び認証方法を提供することにある。
【課題を解決するための手段】
【０００６】
本発明の一実施形態に係る電力管理装置は、
接続先のメータ装置に認証されるために付与された認証情報を記憶する記憶部と、
前記記憶された認証情報を失ったとき、前記メータ装置に再接続するための再接続条件に合致していれば前記メータ装置から失った前記認証情報と同一の又は異なる認証情報を取得可能であり、当該取得した認証情報を用いて前記メータ装置に再接続する制御部と、
を有する。
【０００７】
更に、本発明の一実施形態に係る電力管理方法は、
接続先のメータ装置に認証されるために付与された認証情報を記憶するステップと、
前記記憶された認証情報を失ったとき、前記メータ装置に再接続するための再接続条件に合致していれば前記メータ装置から前記認証情報と同一の又は異なる認証情報を取得可能であり、当該取得した認証情報を用いて前記メータ装置に再接続するステップと、
を有する。
【０００８】
更に、本発明の一実施形態に係る電力管理システムは、
電力管理装置と、前記電力管理装置と接続するメータ装置と、
を含む電力管理システムにおいて、
前記電力管理装置は、
接続先の前記メータ装置に認証されるために付与された認証情報を記憶する記憶部と、
前記記憶された認証情報を失ったとき、前記メータ装置に再接続するための再接続条件に合致していれば前記メータ装置から前記認証情報と同一の又は異なる認証情報を取得可能であり、当該取得した認証情報を用いて前記メータ装置に再接続する制御部と、
を有する。
【０００９】
更に、本発明の一実施形態に係るメータ装置は、
メータ装置に再接続するための再接続条件に電力管理装置が合致しているとき、前記電力管理装置に、前記電力管理装置を認証するために以前に用いた認証情報と同一の又は異なる認証情報を出力する制御部を有する。
【００１０】
更に、本発明の一実施形態に係る認証方法は、
前記メータ装置に再接続するための再接続条件に前記電力管理装置が合致しているとき、前記電力管理装置に、前記電力管理装置を認証するために以前に用いた認証情報と同一の又は異なる認証情報を出力するステップを有する。
【発明の効果】
【００１１】
本発明の電力管理装置、電力管理方法、電力管理システム、メータ装置及び認証方法によれば、装置間の通信の安全を確保しながら、ユーザによる認証情報の再設定の煩わしさを解消することができる。
【図面の簡単な説明】
【００１２】
【図１】本発明の実施形態１に係る電力管理システムの機能ブロック図である。
【図２】図１の電力管理装置が表示する設定画面を示す図である。
【図３】実施形態１に係る図１の電力管理システムの動作フローを示すシーケンス図である。
【図４】メータ装置の記憶部が記憶する通信履歴ＤＢを示す図である。
【図５】実施形態２に係る図１の電力管理システムの動作フローを示すシーケンス図である。
【図６】図５の続きの動作フローを示すシーケンス図である。
【発明を実施するための形態】
【００１３】
以下、本発明の実施形態１及び実施形態２を図面に基づいて説明する。
［実施形態１］
【００１４】
図１は、本発明の実施形態１に係る電力管理システム９０の機能ブロック図である。電力管理システム９０は、電力管理装置１及びメータ装置２を含む。本実施形態においては一例として、電力管理システム９０は、需要家施設によって備えられる。本実施形態に係る電力管理システム９０の各機能を説明するが、電力管理システム９０が有する他の機能を排除することを意図したものではないことに留意されたい。
【００１５】
電力管理装置１は、制御部１１、記憶部１２及び表示部１３を有する。本実施形態において電力管理装置１は例えばＨＥＭＳ（Home Energy Management System）である。電力管理装置１は、ＢＥＭＳ（Building Energy Management System）又はＣＥＭＳ（Cluster/Community Energy Management System）であってもよい。
【００１６】
制御部１１は、電力管理装置１の各機能部をはじめとして電力管理装置１の全体を制御するプロセッサである。
【００１７】
制御部１１は、需要家施設での電力管理システム９０の導入時に、ユーザから認証情報の入力を受付けてメータ装置２と通信を行う。認証情報とはＩＤ及びパスワードの少なくとも一方であるが、本実施形態においてはその両方とする。制御部１１は、Ｗｉ−Ｓｕｎ、Ｇ３−ＰＬＣ等の通信規格を用いて後述するメータ装置２と通信する。一度認証情報の入力を受付けると、制御部１１は取得した認証情報を後述するように記憶部２２に記憶する。制御部１１は次回以降のメータ装置２との通信の際、記憶部２２に記憶された受付け済みの認証情報を再度利用して通信を行う。
【００１８】
制御部１１は、設定画面にて入力した認証情報をユーザが誤って削除、変更又は初期化してしまうこと等により認証情報を失うことがある。ユーザが正しい認証情報を新たに入力することによって電力管理装置１は再度メータ装置２に認証されて接続することができる。しかしながら、ユーザが認証情報を忘れていた場合、当該認証情報が記載された用紙・データ等を探さなければならず、しかも当該用紙・データ等を紛失していると、認証情報を発行した電力会社又はメーカー等に連絡して再設定を行う必要が生じる。
【００１９】
そこで制御部１１は、ユーザ操作により又は自動的に、失った認証情報を電力管理装置１に出力するよう、メータ装置２に要求する。電力管理装置１は、後述する再接続条件に合致するとき、失われた認証情報と同一の又は異なる認証情報をメータ装置２から取得する。失われた認証情報と異なる認証情報とは、失われた認証情報よりも簡易な（文字数が少ない、文字の種類が少ない、文字数は多いが同じ文字を半分以上使っている、半角と全角の片方しか用いていない、アルファベットと数字の片方しか用いていない、指紋認証、静脈認証、顔認証、音声認証等）情報である。制御部１１は、取得した認証情報を用いてメータ装置２に再接続する。このような再接続処理を、制御部１１はバックグラウンドで行うことができる。
【００２０】
記憶部１２は、フラッシュメモリ等の任意の記憶資源を用いて構成する。記憶部１２は各種情報及び電力管理装置１を動作させるためのプログラム等を記憶するとともに、ワークメモリとしても機能する。記憶部１２は、接続先のメータ装置２に認証されるために電力会社又はメーカー等から付与された認証情報を記憶する。
【００２１】
表示部１３は、例えば、液晶パネル（ＬＣＤ：Liquid Crystal Display）又は有機ＥＬパネル（ＯＥＬＤ：Organic Electroluminescence Display）で構成される。例えば表示部１３は、電力管理装置１に接続された負荷の消費電力等を、ユーザによる管理目的で表示する。
【００２２】
メータ装置２は、制御部２１及び記憶部２２を有する。メータ装置２は例えばスマートメータである。
【００２３】
制御部２１は、電力管理装置１が後述する再接続条件に合致するか否かを判定し、合致するとき、失われた認証情報と同一の又は異なる認証情報を電力管理装置１に出力することができる。また制御部２１は、例えば接続先の商用系統を介して分電盤に供給される電力量及び需要家施設によって商用系統に売電される電力量を計測し、当該計測値を各種情報として電力管理装置１に出力可能である。
【００２４】
記憶部２２は、フラッシュメモリ等の任意の記憶資源を用いて構成する。記憶部２２は各種情報及びメータ装置２を動作させるためのプログラム等を記憶するとともに、ワークメモリとしても機能する。
【００２５】
以下、実施形態１を詳細に説明する。
【００２６】
ユーザは、電力管理システム９０を導入したとき、電力管理装置１がメータ装置２によって認証されるように認証処理を行う。すなわちユーザが電力管理装置１を起動すると、表示部１３は図２に示す設定画面を表示する。ユーザは、個別に（電力管理装置１毎に）付与される認証情報を当該設定画面にて入力する。
【００２７】
認証情報を受付けた制御部１１は、当該認証情報をメータ装置２に出力する。
【００２８】
認証情報を取得したメータ装置２は、取得した認証情報の認証ＩＤと認証パスワードが合致しているか否かを判定する。合致していると判定したとき、メータ装置２の制御部２１は電力管理装置１を認証する。
【００２９】
認証後、電力管理装置１はメータ装置２と通信し、メータ装置２との間で各種情報を定期的（例えば１分に１回又は３０秒に１回）に又は不定期に通信することができる。
【００３０】
電力管理装置１が認証情報を失って通信が失敗したとき、電力管理装置１の制御部１１はその旨を表示部１３に表示させる。当該表示を見たユーザは手動操作を行い、設定画面から、失った認証情報をメータ装置２に要求する。このとき、電力管理装置１はメータ装置２に当該要求を出力する。
【００３１】
別の機能として、ユーザが手動操作により認証情報を要求するのではなく、電力管理装置１が、例えば起動に際して、認証情報を失ったと判定したときに自動的にメータ装置２に認証情報を要求してもよい。
【００３２】
要求を取得したメータ装置２は、電力管理装置１が再接続条件に合致しているか否かを判定する。再接続条件とは、失われた認証情報と同一の又は異なる認証情報を電力管理装置１に出力することを許可するか否かの条件であり、例えば電力管理装置１がメータ装置２に過去に一度以上接続していることである。一度以上接続しているか否かは、電力管理装置１の固有情報（ＩＰｖ６アドレス、製造番号、製品名、メーカー名等）から判定される。
【００３３】
電力管理装置１が再接続条件に合致していると判定したとき、メータ装置２は、電力管理装置１が失った認証情報（すなわち、以前に用いた認証情報）と同一の又は異なる認証情報を電力管理装置１に出力する。このときメータ装置２は、当該出力を行ったことを、予め登録された、メータ装置２の任意の管理者に通知してもよい。また、メータ装置２が当該出力を行える回数は制限されてもよい。電力管理装置１は、メータ装置２から取得した認証情報を用いてメータ装置２の認証を受け、メータ装置２に再接続する。その後、電力管理装置１は、認証情報を失う前と同様に定期的又は不定期にメータ装置２と通信する。
【００３４】
図３は、本実施形態に係る電力管理システム９０の動作フローを示すシーケンス図である。
【００３５】
電力管理装置１は、認証情報をメータ装置２に出力する（ステップＳ１）。メータ装置２は取得した認証情報が合致しているか否かを判定し（ステップＳ２）、ステップＳ２でＹｅｓのとき、認証が成功したことを電力管理装置１に通知する（ステップＳ３）。ステップＳ２でＮｏのときメータ装置２は認証が失敗したとしてステップＳ３を行わない。次いで電力管理装置１とメータ装置２とは各種情報を通信する（ステップＳ４）。
【００３６】
その後、電力管理装置１が認証情報を失い通信が失敗すると（ステップＳ５）、自動的に又はユーザ操作により手動で、電力管理装置１はメータ装置２に認証情報を要求する（ステップＳ６）。要求を受けたメータ装置２は、電力管理装置１が再接続条件に合致しているか否かを判定し（ステップＳ７）、ステップＳ７でＮｏのとき、電力管理装置１に応答しない。ステップＳ７でＹｅｓのとき、メータ装置２は失われた認証情報と同一の又は異なる認証情報を電力管理装置１に出力する（ステップＳ８）。
【００３７】
次いで電力管理装置１は、取得した認証情報を記憶部１２に記憶する（ステップＳ９）。その後のステップは、ステップＳ１〜ステップＳ４と同様である。すなわち、電力管理装置１は、認証情報をメータ装置２に出力する（ステップＳ１０）。メータ装置２は取得した認証情報が合致しているか否かを判定し（ステップ１１）、ステップＳ１１でＹｅｓのとき、認証が成功したことを電力管理装置１に通知する（ステップＳ１２）。ステップＳ１１でＮｏのときメータ装置２は認証が失敗したとしてステップＳ１２を行わない。次いで電力管理装置１とメータ装置２とは各種情報を通信する（ステップＳ１３）。
【００３８】
上記実施形態１の通り、電力管理装置１の制御部１１は、記憶された認証情報を失ったとき、メータ装置２に再接続するための再接続条件に合致していればメータ装置２から失った認証情報と同一の又は異なる認証情報を取得可能であり、当該取得した認証情報を用いて当該メータ装置２に再接続する。このため、装置間の通信の安全を確保しながら、ユーザによる認証情報の再設定の煩わしさを解消することができる。
【００３９】
上記実施形態１の通り、認証情報はＩＤ及びパスワードの少なくとも一方である。このため、装置間の通信の安全を確保することができる。
【００４０】
上記実施形態１の通り、制御部１１は、再接続処理をバックグラウンドで行う。このため、制御部１１が行うフォアグラウンドでの処理と同時に、再接続処理を進めることができる。
【００４１】
上記実施形態１の通り、再接続条件とは、メータ装置２に過去に一度以上接続していることである。すなわち、過去にメータ装置２に接続したことがない電力管理装置１を再接続させないため、本来接続すべきでない装置に電力情報を提供せずに済み、もって通信の安全が確保される。
【００４２】
上記実施形態１の通り、制御部１１はメータ装置２から、当該失った認証情報と異なる認証情報として、失った認証情報よりも簡易な情報を取得する。このため、ユーザが認証情報を再度忘れる蓋然性が低くなり、もって、装置間の通信が途絶えて失敗する蓋然性が低くなる。
［実施形態２］
【００４３】
以下、本発明の実施形態２を説明する。実施形態１と共通する部分を省略しつつ以下詳細に説明する。実施形態２では、図１を準用する。
【００４４】
実施形態１と同様、電力管理装置１は制御部１１、記憶部１２及び表示部１３を有する。
【００４５】
実施形態１と同様、制御部１１は、ユーザから認証情報の入力を受付けてメータ装置２と通信を行う。
【００４６】
実施形態１と異なり、制御部１１はメータ装置２と通信がなされている状況で（すなわち、電力管理装置１が認証情報を失う前に）、電力会社等からメータ装置２に個別に付与される認証ＩＤ及び認証パスワードをメータ装置２に出力する。当該認証ＩＤ及び当該認証パスワードをまとめてメータ装置認証情報という。
【００４７】
また制御部１１は、メータ装置２との通信が失敗した後、メータ装置認証情報をメータ装置２から取得して、当該メータ装置認証情報の認証ＩＤ及び認証パスワードが合致しているか否かを判定する。制御部１１は、当該認証ＩＤ及び認証パスワードが合致していると判定したとき、メータ装置２にその旨を通知する。
【００４８】
実施形態１と同様、記憶部１２は認証情報を記憶し、表示部１３は負荷の消費電力等を表示する。
【００４９】
メータ装置２は、実施形態１と同様、制御部２１及び記憶部２２を有する。
【００５０】
実施形態１と同様、制御部２１は電力管理装置１を認証し、電力量に関する各種情報を電力管理装置１に出力する。
【００５１】
実施形態１と異なり制御部２１は、電力管理装置１が認証情報を失った後、接続されていた日時から所定時間が経過したか否かを判定する。所定時間が経過するとは例えば、接続が途切れてから所定日数が経過すること、Get、Get_res又はINF等のECHONET Lite電文が送受信されてから所定時間が経過することである。当該接続されていた日時は後述する通信履歴ＤＢ２２ａから判定可能である。
【００５２】
また制御部２１は、所定時間が経過したと判定すると、電力管理装置１が再接続条件に合致するか否かを判定する。電力管理装置１が当該再接続条件に合致すると判定したとき、制御部２１は電力管理装置１に、メータ装置認証情報を出力する。
【００５３】
記憶部２２は、実施形態１と異なり、例えば電力管理装置１によって付与されたメータ装置認証情報を、電力管理装置１から取得して記憶する。また記憶部２２はメータ装置２と電力管理装置１との通信の履歴を記憶する通信履歴ＤＢ２２ａを有する。通信履歴ＤＢ２２ａを図４に示す。図４に示すように、電力管理装置１とメータ装置２とが接続されていた日時は、通信履歴ＤＢ２２ａから判定可能である。図４の例では、メータ装置２が電力管理装置１と最後に接続されていたのは２月２日の１５時３０分である。
【００５４】
以下、本発明の実施形態２を詳細に説明する。
【００５５】
ユーザが電力管理システム９０を導入し電力管理装置１がメータ装置２に認証されると、電力管理装置１とメータ装置２とは各種情報を通信する。
【００５６】
電力管理装置１とメータ装置２との間で通信がなされている状況で、電力管理装置１はメータ装置２に、メータ装置認証情報を出力する。メータ装置２は、当該メータ装置認証情報を取得して記憶部２２に記憶する。
【００５７】
その後、電力管理装置１が認証情報を失った後、接続されていた日時から所定時間が経過し且つ電力管理装置１が再接続条件に合致するときに、メータ装置２は電力管理装置１に、記憶部２２に記憶されたメータ装置認証情報を出力する。
【００５８】
メータ装置認証情報を取得した電力管理装置１は、当該メータ装置認証情報の認証ＩＤ及び認証パスワードが合致しているか否かを判定し、合致していると判定したとき、メータ装置２にその旨を通知する。
【００５９】
当該応答を受けたメータ装置２は、電力管理装置１に、失われた認証情報と同一の又は異なる認証情報を出力する。
【００６０】
電力管理装置１は、実施形態１と同様に、取得した認証情報を用いてメータ装置２に再接続する。
【００６１】
図５及び図６は、実施形態２に係る電力管理システム９０の動作フローを示すシーケンス図である。
【００６２】
ステップＳ２１〜ステップＳ２３はステップＳ１〜ステップＳ３と同様であるので説明を省略する。
【００６３】
次いで電力管理装置１は、メータ装置認証情報をメータ装置２に出力し（ステップＳ２４）、メータ装置２との間で各種情報を通信する（ステップＳ２５）。
【００６４】
その後、電力管理装置１が認証情報を失い通信が失敗すると（ステップＳ２６）、メータ装置２は、接続されていた日時から所定時間が経過したか否かを判定する（ステップＳ２７）。ステップＳ２７でＮｏのとき、メータ装置２はステップＳ２７を繰り返す。
【００６５】
ステップＳ２７でＹｅｓのとき、メータ装置２は電力管理装置１が再接続条件に合致しているか否かを判定する（ステップＳ２８）。
【００６６】
ステップＳ２８でＹｅｓのとき、メータ装置２は電力管理装置１に対して、ステップＳ２５で取得したメータ装置認証情報を出力する（ステップＳ２９）。ステップＳ２８でＮｏのときメータ装置２はステップＳ２９を行わない。
【００６７】
メータ装置認証情報を取得した電力管理装置１は、当該メータ装置認証情報が、ステップＳ２４で出力したメータ装置認証情報と合致しているか否かを判定し（ステップＳ３０）、ステップＳ３０でＮｏのときはメータ装置２に応答しない。
【００６８】
ステップＳ３０でＹｅｓのとき、電力管理装置１は認証が成功した旨をメータ装置２に通知する（ステップＳ３１）。ステップＳ３２〜ステップＳ３７は、ステップＳ８〜ステップＳ１３と同様であるため説明を省略する。
【００６９】
上記実施形態２の通り、制御部１１は更に、メータ装置２に個別に付与されたメータ装置認証情報をメータ装置２に通知し、メータ装置２からメータ装置認証情報を取得する。このとき制御部１１は、メータ装置認証情報を用いてメータ装置２を認証して失った認証情報と同一の又は異なる認証情報を取得可能である。このため、メータ装置２にとって電力管理装置１が正当な通信相手であることだけでなく、電力管理装置１によってもメータ装置２が正当な通信相手であることが確保されるため、もって装置間の通信の安全がより一層確保される。
【００７０】
上記実施形態２の通り、制御部１１は、メータ装置２と接続されていた日時から所定時間が経過したときにメータ装置２から送信されるメータ装置認証情報を取得してメータ装置２を認証する。すなわち、装置間の通信が途絶えたときに、所定時間の経過によって自動的にメータ装置２がメータ装置認証情報を出力するため、通信が途絶えた状態が放置される恐れがなくなり、最新の情報が装置間で通信される。また、電力管理装置１はメータ装置認証情報を用いた認証を行うため装置間の通信の安全がより一層確保される。
【００７１】
本発明の実施形態１及び実施形態２を諸図面又は実施例に基づき説明してきたが、当業者であれば本開示に基づき種々の変形又は修正を行うことが容易であることに注意されたい。したがって、これらの変形又は修正は本発明の範囲に含まれることに留意されたい。例えば、各部材、各部、各ステップなどに含まれる機能などは論理的に矛盾しないように再配置可能である。また、本発明を方法の発明として実施するときにも、複数の部又はステップなどを１つに組み合わせたり、或いは分割したりすることが可能である。
【００７２】
また、実施形態１及び実施形態２に係る電力管理装置１の制御部１１及びメータ装置２の制御部２１をコンピュータで構成したとき、各機能を実現する処理内容を記述したプログラムを、そのコンピュータの内部又は外部の記憶部に格納しておき、そのコンピュータの中央演算処理装置（ＣＰＵ）によってこのプログラムを読み出して実行させることで実現することができる。また、このようなプログラムは、例えばＤＶＤ又はＣＤ−ＲＯＭなどの可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。
【００７３】
また、実施形態１及び実施形態２では、電力管理装置１の認証情報が記憶部１２に記録されている場合について説明した。しかしながら、電力管理装置１が一般の通信回線（例えば、ＬＡＮなど）に接続されている場合、需要家施設外のサーバ、所謂クラウドサーバに認証情報が記録されていてもよい。その場合、電力管理装置１とメータ装置２との認証接続が切れたときに、電力管理装置１がサーバに保存された認証情報を要求し、メータ装置２との認証接続を行なってもよい。
【符号の説明】
【００７４】
１      電力管理装置
１１    制御部
１２    記憶部
１３    表示部
２      メータ装置
２１    制御部
２２    記憶部
２２ａ  通信履歴ＤＢ
９０    電力管理システム
【図１】
0006463984.tif 000002
【図２】
0006463984.tif 000003
【図３】
0006463984.tif 000004
【図４】
0006463984.tif 000005
【図５】
0006463984.tif 000006
【図６】
0006463984.tif 000007